(57)【要約】【課題】室内空調負荷に対応するため、２段可変容量圧縮機を相互並列に連結して、圧縮機を安価で具現することができる空気調和装置及びその制御方法を提供する。【解決手段】第１最小容量及び第１最大容量のいずれか一つの容量で運転するように制御される第１圧縮機３０と、前記第１圧縮機に並列に連結され、第２最小容量及び第２最大容量のいずれか一つの容量で運転するように制御される第２圧縮機４０と、前記第１及び第２圧縮機の総容量が室内空調負荷に応じて多段階で制御されるように、前記第１及び第２圧縮機を制御する制御部７０とを含む。【選択図】　図３
2004020177.tif 000002
【特許請求の範囲】
【請求項１】
第１最小容量及び第１最大容量のいずれか一つの容量で運転するように制御される第１圧縮機と、
前記第１圧縮機に並列に連結され、第２最小容量及び第２最大容量のいずれか一つの容量で運転するように制御される第２圧縮機と、
前記第１及び第２圧縮機の総容量が室内空調負荷に応じて多段階で制御されるように、前記第１及び第２圧縮機を制御する制御部と
を含むことを特徴とする空気調和装置。
【請求項２】
前記第１圧縮機の第１最大容量は前記第２圧縮機の第２最小容量と同一であり、前記第２圧縮機の第２最大容量は前記第２圧縮機の第２最小容量の２倍以上であることを特徴とする請求項１記載の空気調和装置。
【請求項３】
前記第１及び第２圧縮機の各圧縮機は二つの圧縮室を有し、各圧縮機が正回転すると、二つの圧縮室が圧縮を行って最大容量で運転し、各圧縮機が逆回転すると、二つの圧縮室のいずれか一つの圧縮室が圧縮を行って最小容量で運転することを特徴とする請求項１記載の空気調和装置。
【請求項４】
前記空気調和装置は、前記第１及び第２圧縮機にオイルを供給するため、前記第１圧縮機と前記第２圧縮機を連結する均油管をさらに含むことを特徴とする請求項１記載の空気調和装置。
【請求項５】
複数の室内機と、前記複数の室内機に連結される室外機とからなる空気調和装置において、前記室外機は、
第１最小容量及び第１最大容量のいずれか一つの容量で運転するように制御される第１圧縮機と、
前記第１圧縮機に並列に連結され、第２最小容量及び第２最大容量のいずれか一つの容量で運転するように制御される第２圧縮機と、
前記第１及び第２圧縮機の総容量が前記複数の室内機が要求する室内空調負荷に応じて多段階で制御されるように、前記第１及び第２圧縮機を制御する室外機制御部と
を含むことを特徴とする空気調和装置。
【請求項６】
第１最小容量及び第１最大容量のいずれか一つの容量で運転する第１圧縮機と第２最小容量及び第２最大容量のいずれか一つの容量で運転する第２圧縮機とを含む室外機に複数の室内機が連結された空気調和装置の制御方法において、
当該室内機が要求する空調容量を算出する段階と、
前記第１及び第２圧縮機の総容量が前記算出された空調容量に応じて多段階で制御されるように、前記第１及び第２圧縮機の容量を制御する段階と
を含み、
前記第１圧縮機の第１最大容量は前記第２圧縮機の第２最小容量と同一であり、前記第２圧縮機の第２最大容量は前記第２圧縮機の第２最小容量の２倍以上であることを特徴とする空気調和装置の制御方法。
【請求項７】
前記制御段階は、
前記算出された空調容量が０であると、前記第１及び第２圧縮機の運転を停止させる段階と、
前記算出された空調容量が０より大きくて前記第１圧縮機の第１最小容量以下であると、前記第２圧縮機の運転を停止させるとともに前記第１圧縮機を前記第１最小容量で運転させる段階と、
前記算出された空調容量が前記第１圧縮機の第１最小容量より大きくて前記第１圧縮機の第１最大容量以下であると、前記第２圧縮機の運転を停止させるとともに、前記第１圧縮機を前記第１最大容量で運転させる段階と、
前記算出された空調容量が前記第１圧縮機の第１最大容量より大きくて前記第２圧縮機の第２最小容量及び前記第１圧縮機の第１最小容量の総和量以下であると、前記第２圧縮機を第２最小容量で運転させるとともに前記第１圧縮機を第１最小容量で運転させる段階と、
前記算出された空調容量が前記第２最小容量及び前記第１最小容量の総和量より大きくて前記第２圧縮機の第２最大容量以下であると、前記第２圧縮機を第２最大容量で運転させるとともに前記第１圧縮機の運転を停止させる段階と、
前記算出された空調容量が前記第２最大容量より大きくて前記第２圧縮機の第２最大容量及び前記第１圧縮機の第１最小容量の総和量以下であると、前記第２圧縮機を第２最大容量で運転させるとともに前記第１圧縮機を第１最小容量で運転させる段階と、
前記算出された空調容量が前記第１圧縮機の第２最大容量及び第１最小容量の総和量より大きいと、前記第２圧縮機を第２最大容量で運転させるとともに前記第１圧縮機を第１最大容量で運転させる段階と
を含むことを特徴とする請求項６記載の空気調和装置の制御方法。
【請求項８】
第１容量及び第２容量のいずれか一つの容量で運転される第１圧縮機と、
前記第１圧縮機に並列に連結され、第３容量及び第４容量のいずれか一つの容量で運転される第２圧縮機と、
前記第１及び第２圧縮機の総容量が室内空調負荷に応じて多段階で変化するように、前記第１及び第２圧縮機を制御する制御部と
を含むことを特徴とする空気調和装置。
【請求項９】
前記第１容量は前記第３容量と同一であり、前記第４容量は前記第３容量の２倍であることを特徴とする請求項８記載の空気調和装置。
【請求項１０】
前記第１圧縮機は複数の圧縮室を有し、前記第１圧縮機の回転方向によって前記第１容量及び第２容量のいずれかの容量で運転し、前記第２圧縮機は複数の圧縮室を有し、前記第２圧縮機の回転方向によって前記第３容量及び第４容量のいずれか一つの容量で運転することを特徴とする請求項８記載の空気調和装置。
【請求項１１】
前記第１圧縮機が第１方向に回転すると、前記第１圧縮機の圧縮室が圧縮を行って前記第２容量で運転し、前記第１圧縮機が第２方向に回転すると、前記第１圧縮機の圧縮室のいずれか一つの圧縮室が圧縮を行って前記第１容量で運転することを特徴とする請求項１０記載の空気調和装置。
【請求項１２】
前記第２圧縮機が第１方向に回転すると、前記第２圧縮機の圧縮室が圧縮を行って前記第４容量で運転し、前記第２圧縮機が第２方向に回転すると、前記第２圧縮機の圧縮室のいずれか一つの圧縮室が圧縮を行って前記第３容量で運転することを特徴とする請求項１１記載の空気調和装置。
【請求項１３】
前記空気調和装置は、前記室内空調負荷に応じて前記第１及び第２圧縮機にオイルを供給するため、前記第１圧縮機と前記第２圧縮機を連結する均油管をさらに含むことを特徴とする請求項８記載の空気調和装置。
【請求項１４】
複数の室内機と、前記複数の室内機に連結される室外機とを含み、前記室外機は、
第１容量及び第２容量のいずれか一つの容量で運転するように制御される第１圧縮機と、
前記第１圧縮機に並列に連結され、第３容量及び第４容量のいずれか一つの容量で運転するように制御される第２圧縮機と、
前記第１圧縮機の容量を、室内空調負荷の供給のための総容量を超えていない、前記第１容量及び第２容量のうちの大きい容量で設定し、前記第２圧縮機の容量を、前記室内空調負荷の供給のための総容量と前記第１圧縮機の設定容量間の差を超えていない、前記第３容量及び第４容量のうちの大きい容量で設定することにより、前記第１及び第２圧縮機の総容量が多段階で制御されるように、前記第１及び第２圧縮機を制御する室外機制御部と
を含むことを特徴とする空気調和装置。
【請求項１５】
前記第１圧縮機の第２容量は前記第２圧縮機の第３容量と同一であり、前記第２圧縮機の第４容量は第２圧縮機の第３容量の２倍以上であることを特徴とする請求項１４記載の空気調和装置。
【請求項１６】
第１容量及び第２容量のいずれか一つの容量で運転する第１圧縮機と、前記第１圧縮機の第２容量と同一である第３容量及び前記第３容量の２倍以上である第４容量のいずれか一つの容量で運転する第２圧縮機とを含む室外機に複数の室内機が連結された空気調和装置の制御方法において、
室内空調負荷に応じて空調容量を算出する段階と、
前記第１及び第２圧縮機の総容量が前記算出された空調容量に応じて多段階で変化するように、前記第１及び第２圧縮機の容量を制御する段階と
を含むことを特徴とする空気調和装置の制御方法。
【請求項１７】
前記容量制御段階は、
前記算出された空調容量が０であると、前記第１及び第２圧縮機の運転を停止させる段階と、
前記算出された空調容量が０より大きくて前記第１圧縮機の第１容量以下であると、前記第２圧縮機の運転を停止させるとともに前記第１圧縮機を前記第１容量で運転させる段階と、
前記算出された空調容量が前記第１圧縮機の第１容量より大きくて前記第１圧縮機の第２容量以下であると、前記第１圧縮機を前記第１容量で運転させるため、前記算出された空調容量と一致するデューティ制御信号を決定し前記デューティ制御信号に応じて負荷運転及び無負荷運転を実施することにより、前記第２圧縮機の運転を停止させるとともに前記第１圧縮機の容量を制御する段階と、
前記算出された空調容量が前記第１容量より大きくて前記第３容量及び第１容量の総和量以下であると、前記第２圧縮機を前記第３容量で運転させるとともに前記第１圧縮機を前記第１容量で運転させる段階と、
前記算出された空調容量が前記第３容量及び第１容量の総和量より大きくて前記第２圧縮機の第４容量以下であると、前記第２圧縮機を前記第４容量で運転させるとともに前記第１圧縮機の運転を停止させる段階と、
前記算出された空調容量が前記第４容量より大きくて前記第４容量及び第１容量の総和量以下であると、前記第２圧縮機を前記第４容量で運転させるとともに前記第１圧縮機を前記第１容量で運転させる段階と、
前記算出された空調容量が前記第４容量及び第１容量の総和量より大きいと、前記第２圧縮機を前記第４容量で運転させるとともに前記第１圧縮機を前記第２容量で運転させる段階と
をさらに含むことを特徴とする請求項１６記載の空気調和装置の制御方法。
【請求項１８】
前記容量制御段階は、前記第１圧縮機の容量を、前記算出された空調容量を超えていない、前記第１及び第２容量のうちの大きい容量で運転するように設定し、前記第２圧縮機の容量を、前記算出された空調容量と前記第１圧縮機に対して設定された容量間の差と同一である容量で運転するように調整することにより、前記第１及び第２圧縮機を前記算出された空調容量で運転させる段階をさらに含むことを特徴とする請求項１６記載の空気調和装置の制御方法。
【請求項１９】
前記容量制御段階は、
前記第１圧縮機の容量を、前記算出された空調容量を超えていない、前記第１及び第２容量のうちの大きい容量で運転するように設定する段階と、
前記第２圧縮機の容量を、前記設定段階での前記第１圧縮機の容量と前記算出された空調容量間の差と同一である、前記第３及び第４容量のいずれか一つの容量で運転するように調整する段階と
をさらに含むことを特徴とする請求項１６記載の空気調和装置の制御方法。
【請求項２０】
第１及び第２圧縮機を有する空気調和装置を制御するコントローラにおいて、
前記第１圧縮機を最小容量及び最大容量のいずれか一つの容量で運転するように制御し、前記第１圧縮機に並列に連結される前記第２圧縮機を第２最小容量及び第２最大容量のうちの一つの容量で運転するように制御するとともに、前記第１及び第２圧縮機の総容量を室内空調負荷に応じて多段階で変化させて前記第１及び第２圧縮機を制御する制御部を含むことを特徴とするコントローラ。
【請求項２１】
第１容量及び第２容量のいずれか一つの容量で運転する第１圧縮機と、前記第１圧縮機の第２容量と同一である第３容量及び前記第３容量の２倍以上である第４容量のいずれか一つの容量で運転する第２圧縮機とを含む室外機に複数の室内機が連結された空気調和装置を運転させるためのコンピュータを制御するための機械読取り可能記憶媒体において、
前記機械読取り可能記憶媒体は、室内空調負荷に応じて空調容量を算出し、前記第１及び第２圧縮機の総容量が前記算出された空調容量に応じて多段階で変化するように、前記第１及び第２圧縮機の容量を制御するためのプログラムを記憶することを特徴とする機械読取り可能記憶媒体。
【請求項２２】
相互並列に連結され、二つの相違した容量のうちの一つの容量で運転される少なくとも三つ以上の圧縮機と、
前記少なくとも三つ以上の圧縮機の総容量が室内空調負荷に応じて多段階で変化して区分的に線形的である総容量運転特性を産出するように、前記少なくとも三つ以上の圧縮機を制御する制御部と
を含むことを特徴とする空気調和装置。
【発明の詳細な説明】
【０００１】
【発明の属する技術分野】
本発明は２段可変容量圧縮機が並列に連結された空気調和装置及びその制御方法に関するものである。
【０００２】
【従来の技術】
一般に、一つの室外機に一つの室内機が連結される方式の単一空気調和装置は室内の空調負荷（所要容量）が高くないので、固定容量圧縮機を室外機に設置する。
【０００３】
これに対し、一つの室外機に多数の室内機が連結された多室型空気調和装置は、各室内機が独立的に当該室内空間の空調負荷に対応するように設計されている。このような多室型空気調和装置においては、各室内機の空調負荷がそれぞれ異なり、随時変動するため、室外機に可変容量圧縮機を設置し、各室内機と室外機間の通信を用いて負荷と動作状態を確認して冷媒の流れを調節するようになっている。特に、可変容量圧縮機は室外機のマイコンにより制御される。前記室外機のマイコンは、各室内機から受けた情報に基づき、当該室内空間に対する空調運転の状態、温度状態などを点検し、その点検された情報によって圧縮機の容量を制御する。
【０００４】
しかし、従来の多室型空気調和装置は一つの室外機に多数の室内機を連結する方式をとっているため、室外機に設置される圧縮機は最大室内空調負荷に耐えるように設計されなければならない。したがって、一つの圧縮機が最大室内空調負荷に耐えるためには、圧縮機の製作にかなりの難しさがある。すなわち、圧縮機の容量を増大させるためには、設計作業から多くの性能テストを経なければならない。
【０００５】
このような工程で製作された高容量圧縮機は従来の圧縮機に比べて価格が大変高い欠点がある。
【０００６】
この問題点に鑑み、従来には可変容量圧縮機と固定容量圧縮機を混用して、室内空調負荷に対応する方式を適用している。
【０００７】
図１に示すように、インバータ回路の周波数によって容量が変化する可変容量圧縮機１０と一定の容量で動作する固定容量圧縮機２０を並列に連結し、各室内機から受けた室内空調負荷（所要容量）によって室外機マイコン（図示せず）が可変容量圧縮機１０及び固定容量圧縮機２０の容量を制御する。図２に示すように、室内空調負荷が０〜５０％である場合、可変容量圧縮機１０の容量を調節するが、各室内機から受けた室内空調負荷（所要容量）によって一定範囲（Ｒ１）内で、インバータ回路から圧縮機に出力される周波数を変化させて圧縮機の容量を調節する。また、室内空調負荷が５０〜１００％である場合、可変容量圧縮機１０及び固定容量圧縮機２０の容量を調節するが、固定容量圧縮機２０をオンさせた状態で不足した容量に対しては、一定範囲（Ｒ２）内でインバータ回路の周波数によって動作するインバータ型圧縮機１０の容量を調節して対応する方式である。
【０００８】
しかし、従来の空気調和装置が大型建物などの施設物に使用される場合、可変容量圧縮機が負担すべき容量がさらに大きくなるしかなく、このような高容量圧縮機は一つの独立品としての製作が難しく、可能であるといっても、製品価格が高いため、価格の面で負担となる。
【０００９】
したがって、多室型空気調和機においては、大規模の室内空調負荷（所要容量）に効果的に対処する方案が必要になり、従来の圧縮機を用いながらも、莫大な空調容量に対する要求を受容し得る方案が切実に要求されている。
【００１０】
【発明が解決しようとする課題】
したがって、本発明は前述した問題点に鑑みてなされたもので、その目的は、室内空調負荷に対応するため、２段可変容量圧縮機を相互並列に連結して、圧縮機を安価で具現することができる空気調和装置及びその制御方法を提供することにある。
【００１１】
【課題を解決するための手段】
前記のような目的を達成するため、本発明は、第１最小容量及び第１最大容量のいずれか一つの容量で運転するように制御される第１圧縮機と、前記第１圧縮機に並列に連結され、第２最小容量及び第２最大容量のいずれか一つの容量で運転するように制御される第２圧縮機と、前記第１及び第２圧縮機の総容量が室内空調負荷に応じて多段階で制御されるように、前記第１及び第２圧縮機を制御する制御部とを含む空気調和装置を提供する。
【００１２】
また、本発明は、複数の室内機と、前記複数の室内機に連結される室外機とからなる空気調和装置において、前記室外機は、第１最小容量及び第１最大容量のいずれか一つの容量で運転するように制御される第１圧縮機と、前記第１圧縮機に並列に連結され、第２最小容量及び第２最大容量のいずれか一つの容量で運転するように制御される第２圧縮機と、前記第１及び第２圧縮機の総容量が前記複数の室内機が要求する室内空調負荷に応じて多段階で制御されるように、前記第１及び第２圧縮機を制御する室外機制御部とを含む空気調和装置を提供する。
【００１３】
また、本発明は、第１最小容量及び第１最大容量のいずれか一つの容量で運転する第１圧縮機と第２最小容量及び第２最大容量のいずれか一つの容量で運転する第２圧縮機とを含む室外機に複数の室内機が連結された空気調和装置の制御方法において、当該室内機が要求する空調容量を算出する段階と、前記第１及び第２圧縮機の総容量が前記算出された空調容量に応じて多段階で制御されるように、前記第１及び第２圧縮機の容量を制御する段階とを含み、前記第１圧縮機の第１最大容量は前記第２圧縮機の第２最小容量と同一であり、前記第２圧縮機の第２最大容量は前記第２圧縮機の第２最小容量の２倍以上である空気調和装置の制御方法を提供する。
【００１４】
前記空気調和装置は相互並列に連結された２段可変容量圧縮機を用いるが、前記各２段可変容量圧縮機は相違した二つの容量で運転する。前記圧縮機の一つは第１最小容量及び第１最大容量で運転し、前記圧縮機の他のものは第２最小容量及び第２最大容量で運転する。この場合、前記第１最大容量は前記第２最小容量と同一であり、前記第２最大容量の５０％である。
【００１５】
【発明の実施の形態】
以下、本発明の好ましい実施形態を添付図面に基づいて詳細に説明する。
【００１６】
図３は本発明の一実施形態による、２段可変容量圧縮機が並列に連結された空気調和装置の構成を示す図である。
【００１７】
同図に示すように、本発明による空気調和装置は、相互並列に連結された二つの圧縮機３０、４０を含む。前記圧縮機３０、４０は、図７に示すように、一つの室外機８０に複数の室内機６０を連結する多室用空気調和装置に適用することができ、圧縮機３０、４０は室外機８０に設けられ、室外機コントローラ（すなわち、マイコン）７０の制御により容量が調節される。
【００１８】
前記第１圧縮機３０と前記第２圧縮機４０は同一方式で冷媒を圧縮するが、前記第２圧縮機４０が供給する容量は第１圧縮機３０のおよそ２倍である。
【００１９】
前記第１圧縮機３０は２段可変容量圧縮機であって、その内部に二つの圧縮室Ｐ１、Ｐ２を有し、その内部のモータが前記室外機コントローラ７０の制御命令に応じて正回転すると、二つの圧縮室Ｐ１、Ｐ２で共に冷媒の圧縮を行うので、第１最大容量である１００％の容量で運転される。その内部のモータが前記室外機コントローラ７０の制御命令に応じて逆回転すると、二つの圧縮室Ｐ１、Ｐ２のいずれか一つのみで冷媒圧縮を行うので、第１最小容量である５０％の容量で運転される。
【００２０】
前記第２圧縮機４０は２段可変圧縮機であって、その内部に二つの圧縮室Ｐ３、Ｐ４を有し、その内部のモータが前記室外機コントローラ７０の制御命令に応じて正回転すると、二つの圧縮室Ｐ３、Ｐ４で共に冷媒の圧縮を行うので、第２最大容量である１００％の容量で運転される。その内部のモータが前記室外機コントローラ７０の制御命令に応じて逆回転すると、二つの圧縮室Ｐ３、Ｐ４のいずれか一つのみで冷媒圧縮を行うので、第２最小容量である５０％の容量で運転される。
【００２１】
このように、前記第１圧縮機３０及び前記第２圧縮機４０は相違した二つの容量のうち、前記室外機コントローラ７０によって決められるいずれか一つの容量（最小容量又は最大容量）で運転される。また、必要に応じて、総容量を増大させるため、区分的に線形的である総容量特性で運転される付加の圧縮機をさらに加えること可能なことが理解できる。
【００２２】
前記第１圧縮機３０の第１最大容量は前記第２圧縮機４０の第１最小容量と同一であり、第２最大容量の５０％に相当する。
【００２３】
容量の相違した第１圧縮機３０と第２圧縮機４０に供給されるオイルが適正状態を維持するための装置を提供することができる。図４に示すように、均油管Ｂを提供することができる。
【００２４】
図４に示すように、第１圧縮機３０と第２圧縮機４０の吐出側には、冷媒とオイルを分離するオイル分離器５０が設けられ、第１圧縮機３０とオイル分離器５０との間に毛細管５１が設けられ、第１圧縮機３０のオイル貯蔵室と第２圧縮機４０のオイル貯蔵室を連通させるため、均油管Ｂが連結される。
【００２５】
前記オイル分離器５０で冷媒から分離されたオイルは均油管Ｂを経て第１圧縮機３０に回収され、別の均油運転は行われない。
【００２６】
以下、本発明による空気調和装置の作用及びその制御方法を、図５及び図６に基づいて具体的に説明する。
【００２７】
本発明による空気調和装置は、室内空調負荷の変動が激しい多室用空気調和機に適用される。この場合、一つの室外機８０に多数の室内機６０を連結し、室外機８０と室内機６０は相互通信を行い、室外機に設けられた複数の圧縮機を制御する室外機コントローラ７０が、各室内機６０から受けた室内空調負荷（所要容量）に応じて圧縮機の容量を制御する動作を説明する。
【００２８】
まず、室外機コントローラ７０は各室内機６０から受けた当該室内機の空調負荷を合算して総室内空調負荷（所要容量）を算出する（Ｓ１１０）。
【００２９】
次いで、室外機コントローラ７０は算出された総所要容量が０であるかを判断する（Ｓ１２０）。その判断結果、総所要容量が０であると、第１圧縮機３０及び第２圧縮機４０の運転を停止させる（Ｓ１３０）。
【００３０】
段階Ｓ１２０の判断結果、総所要容量が０でないと、総所要容量が第１及び第２圧縮機３０、４０の総容量の１７％以下であるかを判断する（Ｓ１４０）。判断結果、総所要容量が第１及び第２圧縮機３０、４０の総容量の１７％以下であると、第２圧縮機４０の運転を停止させるとともに、第１圧縮機３０が第１最小容量で運転するように逆回転で運転させる（図５のＡ１参照）（Ｓ１５０及びＳ１６０）。
【００３１】
段階Ｓ１４０の判断結果、総所要容量が第１及び第２圧縮機３０、４０の総容量の１７％より大きいと、総所要容量が第１及び第２圧縮機３０、４０の総容量の３４％以下であるかを判断する（Ｓ１７０）。その判断結果、総所要容量が第１及び第２圧縮機３０、４０の総容量の３４％以下であると、第２圧縮機４０の運転を停止させるとともに、第１圧縮機３０が第１最大容量で運転するように正回転に運転させる（図５のＡ２参照）（Ｓ１８０及びＳ１９０）。
【００３２】
段階Ｓ１７０の判断結果、総所要容量が第１及び第２圧縮機３０、４０の総容量の５０％以下であるかを判断する（Ｓ２００）。その判断結果、総所要容量が第１及び第２圧縮機３０、４０の総容量の５０％以下であると、第２圧縮機４０が第２最小容量を出力するように逆回転させるとともに、第１圧縮機３０が第１最小容量で運転するように逆回転に運転させる（図５のＡ１、Ｂ１参照）（Ｓ２１０及びＳ２２０）。
【００３３】
段階Ｓ２００の判断結果、総所要容量が第１及び第２圧縮機３０、４０の総容量の５０％より大きいと、総所要容量が第１及び第２圧縮機３０、４０の総容量の６７％以下であるかを判断する（Ｓ２３０）。その判断結果、総所要容量が第１及び第２圧縮機３０、４０の総容量の６７％以下であると、第２圧縮機４０が第２最大容量で運転するように正回転させるとともに、第１圧縮機３０の運転を停止させる（図５のＢ２参照）（Ｓ２４０及びＳ２５０）。
【００３４】
段階Ｓ２３０の判断結果、総所要容量が第１及び第２圧縮機３０、４０の総容量の６７％より大きいと、総所要容量が第１及び第２圧縮機３０、４０の総容量の８４％以下であるかを判断する（Ｓ２６０）。その判断結果、総所要容量が第１及び第２圧縮機３０、４０の総容量の８４％以下であると、第２圧縮機４０が第２最大容量で運転するように正回転させるとともに、第１圧縮機３０が第１最小容量で運転するように逆回転させる（図５のＡ１、Ｂ２参照）（Ｓ２７０及びＳ２８０）。
【００３５】
段階Ｓ２６０の判断結果、総所要容量が第１及び第２圧縮機３０、４０の総容量の８４％より大きいと、第２圧縮機４０が第２最大容量で運転するように正回転させるとともに、第１圧縮機３０が第１最大容量で運転するように正回転させる（図５のＡ２、Ｂ２参照）（Ｓ２９０及びＳ３００）。
【００３６】
前記段階Ｓ１３０、Ｓ１６０、Ｓ１９０、Ｓ２２０、Ｓ２５０、Ｓ２８０、Ｓ３００を行った後には、開始段階に復帰する。
【００３７】
【発明の効果】
以上説明したように、本発明によると、大容量の２段可変容量圧縮機と小容量の２段可変容量圧縮機を並列に連結し、室内空調負荷に応じて多段階で容量を制御することができる。本発明は、線形的可変容量圧縮機に対し、価格の安い２段容量制御圧縮機を用いるので、費用節減となる。また、２段可変容量圧縮機は線形的可変容量圧縮機に比べ、効率面で優れているので、全運転領域で高効率を期待することができる。また、付加の圧縮機を用いることができ、前記コントローラはコンピュータ読取り可能媒体又はファームウェアにプログラムされた制御方法を実行するコンピュータとなり得る。
【図面の簡単な説明】
【図１】可変容量圧縮機と固定容量圧縮機を並列に連結した従来の空気調和装置の構成を示す図である。
【図２】図１の圧縮機の容量を制御する動作を説明するグラフである。
【図３】本発明の一実施形態による、２段可変容量圧縮機を並列に連結した空気調和装置の構成を示す図である。
【図４】本発明の一実施形態による、圧縮機に均油管を連結した構成を示す図である。
【図５】本発明の第２実施形態による、圧縮機の容量を制御する動作を示すグラフである。
【図６】本発明の第２実施形態による空気調和装置の制御方法を説明する流れ図である。
【図７】本発明の実施形態による多室用空気調和を示すブロック図である。
【符号の説明】
３０　第１圧縮機
４０　第２圧縮機
５０　オイル分離器
６０　室内機
７０　室外機コントローラ
８０　室外機
Ｐ１、Ｐ２、Ｐ３、Ｐ４　圧縮室
【図１】
2004020177.tif 000003
【図２】
2004020177.tif 000004
【図３】
2004020177.tif 000005
【図４】
2004020177.tif 000006
【図５】
2004020177.tif 000007
【図６】
2004020177.tif 000008
【図７】
2004020177.tif 000009